(57)【要約】【課題】画像形成或いは画像読み取りに選択的に使用されるユニットによる電力消費を更に節減する。【解決手段】シート上に画像を形成して排出する画像形成手段１０２〜１６０；制御電圧５Ｖおよび動力電圧２４Ｖを出力する電源８０；該電源から、画像形成手段に対してシートを送給し或いは画像形成手段が排出するシートを搬出する周辺ユニット３４〜３６およびスキャナユニット１０内の制御装置への５Ｖ給電ラインに介挿された５Ｖスイッチｓｗｂ〜ｓｗｄ；電源から、各ユニットの動力機器ドライバへの２４Ｖ給電ラインに介挿された２４ＶスイッチｓｗＢ〜ｓｗＤ；および、５Ｖスイッチをオンにして、各ユニットの状態情報を取得してから、指示された画像形成モードによる各ユニットの使用／不使用に対応して、使用のときに２４Ｖスイッチをオンにする電源投入制御手段１，１３１；を備える。【選択図】　図５
2004077623.tif 000002
【特許請求の範囲】
【請求項１】
シート上に画像を形成して排出する画像形成手段；
制御電圧および動力電圧を出力する電源；
該電源から、前記画像形成手段に対してシートを送給し或いは該画像形成手段が排出するシートを搬出する周辺ユニット内の制御装置への、制御電圧の給電ラインに介挿された制御電圧オン／オフスイッチ；
前記電源から、前記周辺ユニットの動力機器ドライバへの、動力電圧の給電ラインに介挿された動力電圧オン／オフスイッチ；および、
前記制御電圧オン／オフスイッチをオンにして、周辺ユニットの状態情報を取得してから、指示された画像形成モードによる前記周辺ユニットの使用／不使用に対応して、使用のときに前記動力電圧オン／オフスイッチをオンにする電源投入制御手段；を備える画像形成装置。
【請求項２】
原稿と、その画像を読取って画像信号に変換する光学系の少なくとも一方を走査駆動する動力機器，それに通電する動力機器ドライバおよびその動作を制御する制御装置を備える画像読み取りユニット；
前記画像信号を前記画像形成手段が画像形成に用いる画像データに変換する画像データ処理装置；
前記電源から、前記画像読み取りユニットの制御装置への、制御電圧の給電ラインに介挿された制御電圧オン／オフスイッチ；および、
前記電源から、前記画像読み取りユニットの動力機器ドライバへの、動力電圧の給電ラインに介挿された動力電圧オン／オフスイッチ；を更に備え、
前記電源投入制御手段が、制御電圧オン／オフスイッチをオンにしてユニットの状態情報を取得してから、指示された画像処理モードによる各ユニットの使用／不使用に対応して、使用のユニットに動力電圧を給電する動力電圧オン／オフスイッチをオンにする；請求項１に記載の画像形成装置。
【請求項３】
シート上に画像を形成して排出する画像形成手段；
制御電圧および動力電圧を出力する電源；
該電源から、前記画像形成手段に対してシートを送給し或いは該画像形成手段が排出するシートを搬出する動力機器，それに通電する動力機器ドライバ，該ドライバと動力電圧受電ラインの間に介挿された動力電圧オン／オフスイッチおよび制御装置を持つ周辺ユニット内の該制御装置への、制御電圧の給電ラインに介挿された制御電圧オン／オフスイッチ；および、
前記制御電圧オン／オフスイッチをオンにして、周辺ユニットの状態情報を取得してから、指示された画像形成モードによる前記周辺ユニットの使用／不使用に対応して、使用のときに前記周辺ユニットの制御装置を介して前記動力電圧オン／オフスイッチをオンにする電源投入制御手段；を備える画像形成装置。
【請求項４】
原稿と、その画像を読取って画像信号に変換する光学系の少なくとも一方を走査駆動する動力機器，それに通電する動力機器ドライバ，該ドライバと動力電圧受電ラインの間に介挿された動力電圧オン／オフスイッチおよび制御装置、を備える画像読み取りユニット；
前記画像信号を前記画像形成手段が画像形成に用いる画像データに変換する画像データ処理装置；および、
前記電源から、前記画像読み取りユニットの制御装置への、制御電圧の給電ラインに介挿された制御電圧オン／オフスイッチ；を更に備え、
前記電源投入制御手段が、制御電圧オン／オフスイッチをオンにして、ユニットの状態情報を取得してから、指示された画像処理モードによる各ユニットの使用／不使用に対応して、使用のユニットの制御装置を介してその動力電圧オン／オフスイッチをオンにする；請求項３に記載の画像形成装置。
【請求項５】
前記電源は、その制御電圧を前記制御電圧オン／オフスイッチに印加するラインに介挿した省エネスイッチを持ち、休止モードでも操作又は指示を認知する箇所には、省エネスイッチを介しないで制御電圧を印加し；前記電源投入制御手段が、省エネスイッチ手段のオン／オフを制御し、省エネスイッチをオンにしている間に操作又は指示が設定時間継続して無いと、省エネスイッチをオフに切換える；請求項１乃至４のいずれかに記載の画像形成装置。
【請求項６】
前記電源投入制御手段は、省エネスイッチをオンにしている間に操作又は指示が設定時間継続して無いと省エネスイッチをオフに切換え、操作又は指示があるとオンに切換える省エネ制御手段（１）と、省エネスイッチがオフからオンに切り換わると、制御電圧オン／オフスイッチをオンにして、それによって制御電圧が印加されるユニットの状態情報を取得し、指示された画像形成モードによる各ユニットの使用／不使用に対応して、使用のユニットに動力電圧を給電する動力電圧オン／オフスイッチをオンにするユニット給電制御手段と、を含む；請求項１乃至５のいずれかに記載の画像形成装置。
【発明の詳細な説明】
【０００１】
【発明の属する技術分野】
本発明は、画像形成装置に関する。この画像形成装置は、例えば複写機，プリンタおよびファクシミリに用いることができる。
【０００２】
【従来技術】
例えば、感熱記録，熱定着，熱乾燥を利用するプリンタ，複写機，ファクシミリ等は、画像形成時の電力が大きい。画像形成指示を待つスタンバイモードでは、画像形成時よりも電力消費が少ないが、電気回路の電力消費がある。したがって、スタンバイモードになって所定時間経過すると、復帰指示の到来を認知する待機回路やデータ保持が必要なメモリなど必要最小限の電気要素に給電を継続し、他の電気回路または電気要素には待機電力供給も遮断する休止モードに切り換わる省エネ切換え制御が用いられている。
【０００３】
特開平６−２５５２１３号公報は、画像形成装置のプリント待機時の消費電力を低減するため、プリント待機時に外部と通信するためのＣＰＵの電源電圧を下げる、あるいはＣＰＵクロック周波数を下げるとともに、他の回路への電源供給をしないようにし、あるいは他の回路の機能を制限することにより、プリント待機時の消費電力を少なくする方法を提示している。
【０００４】
画像形成装置のシステムには、大量の用紙や複数のサイズの用紙を収納して供給する給紙装置や、片面にプリントされた用紙を反転し、再給紙し両面プリントを行う反転給紙装置、排紙される用紙の仕分けやステープラを行う後処理装置などの周辺ユニットが接続され或いは組み込まれ、これらの装置を経由して作業させることによってユーザの望む形態のドキュメント出力が行われる。一連の動作の中では、必ず全てのユニットが使用されるわけではなく、使用されないユニットもある。
【０００５】
特開平９−０２６７３０号公報は、画像形成装置の周辺ユニットの所要のもののみに選択的に給電する省電力システムを開示している。１つの態様では、各周辺ユニットが直流電源を備え、画像形成装置が交流電源を各ユニットの直流電源に接続するための各交流スイッチを備えて、画像形成処理に必要とする周辺ユニットのみを交流電源に接続する。もう１つの態様では、周辺ユニットに給電する直流電源と、該電源を各ユニットに接続するための各スイッチを備えて、画像形成処理に必要とする周辺ユニットのみを直流電源に接続する。後者の態様は、特願２００２−６５５６９号にも記載がある。
【０００６】
【発明が解決しようとする課題】
周辺ユニットの電気回路は、モータ等の動力機器を駆動する動力機器ドライバ（通電回路）すなわちパワー系電気回路と、画像形成装置本体との通信，センサチェックおよび動力機器ドライバの動作制御をおこなう制御回路すなわち信号系電気回路に分類される。パワー系は比較的動作電圧が高い、もしくは電流値が大きく電圧変動を生じ易いため、信号系とは電源が別系統となる事が多い。
【０００７】
前記特開平９−０２６７３０号公報は、周辺ユニットに単一のスイッチを介してユニット原電圧を印加するので、周辺ユニットにおいてパワー系電源と信号系電源発生して２系統にするか、或いはユニット原電圧をそのまま両系統共用にする。したがって、周辺ユニットに給電するスイッチをオンにすると、動力機器を駆動しない待機時でも、信号系電気回路およびパワー系電気回路で待機電力消費がある。
【０００８】
画像形成装置の元電源スイッチを投入した直後や、省エネのため、画像処理に関連するユーザの操作又は指示（ユーザアクセス）を認知する電気回路部には認知に必要な最低限の電圧を印加するが、他の電気回路への給電は遮断する休止モードから、画像形成或いは画像読み取りができる待機モード（スタンバイモード／低電力モード）に復帰したときには、画像形成装置本体は、その各部のみならず、周辺ユニットの状態情報（それの接続があるか、設定状態，正常／異常）を取得して、画像形成システムの構成（使用できる、複写モード，プリントモード，読み取りモード），各部設定状態（用紙サイズ，倍率，濃度），各部の正常／異常を認識して、状態表示を行う。このときは、周辺ユニットの使用／不使用は不明であるが、周辺ユニットに給電するスイッチをオンにしなければならない。スイッチオンの間、パワー系電気回路が待機電力を消費する。
【０００９】
また、待機モード（スタンバイモード／低電力モード）では、周辺ユニットユーザアクセス（用紙の補充，交換）があることを想定して、また、ＡＤＦ（自動原稿送給装置）に原稿の装填がある（画像読み取りタスクが発生する可能性がある）ことを想定して、周辺ユニットやＡＤＦの状態情報の変化を認知するために、周辺ユニットに給電するスイッチをオンにしておくのが好ましい。この場合のスイッチオンの間、パワー系電気回路が待機電力を消費する。
【００１０】
本発明は、画像形成或いは画像読み取りに選択的に使用されるユニットによる電力消費を更に節減することを目的とする。
【００１１】
【課題を解決するための手段】
（１）シート上に画像を形成して排出する画像形成手段（１０２〜１６０）；
制御電圧（＋５Ｖ）および動力電圧（＋２４Ｖ）を出力する電源（８０）；
該電源（８０）から、前記画像形成手段に対してシートを送給し或いは該画像形成手段が排出するシートを搬出する周辺ユニット（３４〜３６）内の制御装置への、制御電圧（＋５Ｖ）の給電ラインに介挿された制御電圧オン／オフスイッチ（ｓｗｂ〜ｓｗｄ）；前記電源（８０）から、前記周辺ユニット（３４〜３６）の動力機器ドライバへの、動力電圧（＋２４Ｖ）の給電ラインに介挿された動力電圧オン／オフスイッチ（ｓｗＢ〜ｓｗＤ）；および、
前記制御電圧オン／オフスイッチ（ｓｗｂ〜ｓｗｄ）をオンにして、周辺ユニット（３４〜３６）の状態情報を取得（図７の３２〜４１ｂ）してから、指示された画像形成モードによる前記周辺ユニットの使用／不使用に対応して、使用のときに前記動力電圧オン／オフスイッチ（ｓｗＢ〜ｓｗＤ）をオンにする（図７〜９の４５，６０，６７，７４，８１）電源投入制御手段（１，１３１）；を備える画像形成装置（１００，ＡＣＰ：図５）。
【００１２】
なお、理解を容易にするためにカッコ内には、図面に示し後述する実施例の対応要素又は対応事項の符号もしくは対応事項を、例示として参考までに付記した。以下も同様である。
【００１３】
これによれば、待機モード（スタンバイモード）のとき制御電圧オン／オフスイッチ（ｓｗｂ〜ｓｗｄ）をオンにして、周辺ユニット（３４〜３６）の状態情報を取得し、状態に対応した画像処理モードを設定できる。このときは動力電圧オン／オフスイッチ（ｓｗＢ〜ｓｗＤ）はオフに留めて、周辺ユニットの電力消費を少なく維持できる。指示された画像形成モードによる周辺ユニットの使用／不使用に対応して、使用のときに動力電圧オン／オフスイッチ（ｓｗＢ〜ｓｗＤ）をオンにするので、周辺ユニットの使用は妨げられない。画像形成を速やかに進めることができる。
【００１４】
【発明の実施の形態】
（２）原稿と、その画像を読取って画像信号に変換する光学系の少なくとも一方を走査駆動する動力機器，それに通電する動力機器ドライバおよびその動作を制御する制御装置を備える画像読み取りユニット（１０）；
前記画像信号を前記画像形成手段（１０２〜１６０）が画像形成に用いる画像データに変換する画像データ処理装置（ＡＣＰ）；
前記電源（８０）から、前記画像読み取りユニット（１０）の制御装置への、制御電圧（＋５Ｖ）の給電ラインに介挿された制御電圧オン／オフスイッチ（ｓｗａ）；および、
前記電源（８０）から、前記画像読み取りユニット（１０）の動力機器ドライバへの、動力電圧（＋２４Ｖ）の給電ラインに介挿された動力電圧オン／オフスイッチ（ｓｗＡ）；を更に備え、
前記電源投入制御手段（１，１３１）が、制御電圧オン／オフスイッチ（ｓｗａ〜ｓｗｄ）をオンにしてユニット（１０，３４〜３６）の状態情報を取得してから、指示された画像処理モードによる各ユニットの使用／不使用に対応して、使用のユニットに動力電圧を給電する動力電圧オン／オフスイッチ（ｓｗＡ〜ｓｗＤ）をオンにする；上記（１）の画像形成装置（１０，１００，ＡＣＰ：図５）。
【００１５】
これによれば、待機モード（スタンバイモード，低電力モード）のとき制御電圧オン／オフスイッチ（ｓｗａ）をオンにして、画像読み取りユニット（１０）の状態情報も取得することができる。このときは動力電圧オン／オフスイッチ（ｓｗＡ）はオフに留めて、画像読み取りユニット（１０）の電力消費も少なく維持できる。指示された画像処理モードによる画像読み取りユニット（１０）の使用／不使用に対応して、使用のときに動力電圧オン／オフスイッチ（ｓｗＡ）をオンにするので、画像読み取りユニット（１０）の使用は妨げられない。画像読み取りを速やかに進めることができる。
【００１６】
（３）シート上に画像を形成して排出する画像形成手段（１０２〜１６０）；
制御電圧（＋５Ｖ）および動力電圧（＋２４Ｖ）を出力する電源（８０）；
該電源（８０）から、前記画像形成手段に対してシートを送給し或いは該画像形成手段が排出するシートを搬出する動力機器，それに通電する動力機器ドライバ，該ドライバと動力電圧（＋２４Ｖ）受電ラインの間に介挿された動力電圧オン／オフスイッチ（ｓｗＢ〜ｓｗＤ）および制御装置を持つ周辺ユニット（３４〜３６）内の該制御装置への、制御電圧（＋５Ｖ）の給電ラインに介挿された制御電圧オン／オフスイッチ（ｓｗｂ〜ｓｗｄ）；および、
前記制御電圧オン／オフスイッチ（ｓｗｂ〜ｓｗｄ）をオンにして、周辺ユニット（３４〜３６）の状態情報を取得してから、指示された画像形成モードによる前記周辺ユニットの使用／不使用に対応して、使用のときに前記周辺ユニット（３４〜３６）の制御装置を介して前記動力電圧オン／オフスイッチ（ｓｗＢ〜ｓｗＤ）をオンにする電源投入制御手段（１，１３１）；を備える画像形成装置（１００，ＡＣＰ：図１０）。
【００１７】
これによっても、上記（１）に記述の作用効果が同様に得られる。
【００１８】
（４）原稿と、その画像を読取って画像信号に変換する光学系の少なくとも一方を走査駆動する動力機器，それに通電する動力機器ドライバ，該ドライバと動力電圧（＋２４Ｖ）受電ラインの間に介挿された動力電圧オン／オフスイッチ（ｓｗＡ）および制御装置、を備える画像読み取りユニット（１０）；
前記画像信号を前記画像形成手段（１０２〜１６０）が画像形成に用いる画像データに変換する画像データ処理装置（ＡＣＰ）；および、
前記電源（８０）から、前記画像読み取りユニット（１０）の制御装置への、制御電圧（＋５Ｖ）の給電ラインに介挿された制御電圧オン／オフスイッチ（ｓｗａ）；を更に備え、
前記電源投入制御手段（１，１３１）が、制御電圧オン／オフスイッチ（ｓｗａ〜ｓｗｄ）をオンにして、ユニット（３４〜３６）の状態情報を取得してから、指示された画像処理モードによる各ユニットの使用／不使用に対応して、使用のユニット（１０，３４〜３６）の制御装置を介してその動力電圧オン／オフスイッチ（ｓｗＡ〜ｓｗＤ）をオンにする；上記（３）の画像形成装置（１０，１００，ＡＣＰ：図１０）。
【００１９】
これによっても、上記（２）に記述の作用効果が同様に得られる。
【００２０】
（５）前記電源（８０）は、その制御電圧（＋５ＶＥ）を前記制御電圧オン／オフスイッチ（ｓｗａ〜ｓｗｄ）に印加するラインに介挿した省エネスイッチ（８５）を持ち、休止モードでも操作又は指示を認知する箇所には、省エネスイッチ（８５）を介しないで制御電圧（＋５ＶＥ）を印加し；前記電源投入制御手段（１，１３１）が、省エネスイッチ（８５）のオン／オフを制御し、省エネスイッチ（８５）をオンにしている間に操作又は指示が設定時間継続して無いと、省エネスイッチ（８５）をオフに切換える；上記（１）乃至（４）のいずれかに記載の画像形成装置。
【００２１】
これによれば、操作又は指示が設定時間継続して無いと休止モードに進んで省エネスイッチ（８５）をオフにするので、制御電圧オン／オフスイッチ（ｓｗａ〜ｓｗｄ）への制御電圧の供給もなく、制御電圧オン／オフスイッチでの電力消費がないので、電力消費が更に節減する。
【００２２】
（６）前記電源投入制御手段（１，１３１）は、省エネスイッチ（８５）をオンにしている間に操作又は指示が設定時間継続して無いと省エネスイッチ手段（８５）をオフに切換え（図６の２９）、操作又は指示があるとオンに切換える（図６の３）省エネ制御手段（１）と、省エネスイッチ（８５）がオフからオンに切り換わると、制御電圧オン／オフスイッチ（ｓｗａ〜ｓｗｄ）をオンにして、それによって制御電圧（＋５Ｖ）が印加されるユニット（１０，３４〜３６）の状態情報を取得し（図７の３２〜４１ｂ）、指示された画像形成モードによる各ユニットの使用／不使用に対応して、使用のユニット（１０，３４〜３６）に動力電圧を給電する動力電圧オン／オフスイッチ（ｓｗＡ〜ｓｗＤ）をオンにする（図７〜９の４５，６０，６７，７４，８１）ユニット給電制御手段（１３１）と、を含む；上記（１）乃至（５）のいずれかに記載の画像形成装置。
【００２３】
休止モード／待機モード（スタンバイモード，低電力モード）の切換えをする省エネ制御手段（１）で省エネスイッチ手段（８５）のオフ／オンを該モードの切換えに対応して自動的に行うので、休止モードでの制御電圧オン／オフスイッチ（ｓｗａ〜ｓｗｄ）の電力消費もなく、省エネ効果が高い。
【００２４】
指示された画像形成モードによる各ユニットの使用／不使用に対応して、使用のユニットに動力電圧を給電する動力電圧オン／オフスイッチをオンにするユニット給電制御手段（１３１）が、待機モードに切り換わったときに自動的にユニットの状態情報を取得するので、ユニット給電制御手段（１３１）は、状態情報に基づいてそれが使用可の場合のみに動力電圧を給電することができ、速やかに画像形成又は画像読み取りを設定できる。
【００２５】
（７）省エネモードに低電力モードおよび休止モードを含み；省エネ制御手段（１）は、休止モードでは省エネスイッチ手段（８５）オフであるが画像形成装置に対する操作又は指示を検知する回路（２０，ＡＣＰ，ＦＣＵ）には通電し、低電力モードでは省エネスイッチ手段（８５）オンであり定着ヒータ（８７）以外に通電し、待機モードであるスタンバイモードでは省エネスイッチ手段（８５）オンであり定着ヒータにも通電する；上記（６）の画像形成装置。
【００２６】
（８）省エネ制御手段（１）は、操作又は指示が無くスタンバイモードが第１設定時間（ＴＤ１）継続すると低電力モードに切換え、操作又は指示が無く低電力モードが第２設定時間（ＴＤ２）継続すると休止モードに切換える；上記（７）の画像形成装置。
【００２７】
（９）操作又は指示を検知する回路は、操作ボード（２０）のキーインを検知する回路，外部ＰＣ（パソコン）の通信を検知する回路およびファクシミリ（ＦＣＵ）の呼び通信を検知する回路を含む；上記（７）又は（８）の画像形成装置。
【００２８】
（１０）画像形成装置と給紙及び排紙後処理等を行う周辺ユニットを接続して構成された画像形成システムにおいて、
各周辺ユニットは、画像形成装置の制御部からの制御及び電源供給を受けて動作する構成であり、
画像形成装置の制御部は各周辺ユニットに対する電源供給を制御する機能を有し、画像形成装置はプリントを行わない待機状態で、省電力モード状態にあるときには、周辺ユニットへの電源供給を遮断し（図７の５３）、プリント命令を受けたときに、プリント用紙の搬送経路にかかる周辺ユニットを選択し、電源供給を行う機能（図７〜９の４９−５４〜７４）を有する画像形成システム。
【００２９】
これによればプリントを行うときに、動作にかかるユニットのみ電源が供給され、使用されないユニットは電源が供給されないため、動作しないユニットの待機電力を削減して、プリント動作にかかる電力を低下させることができる。
【００３０】
（１１）上記（１０）の画像形成システムにおいて、
画像形成装置の制御部は、選択された各周辺ユニットへの電源供給を、任意のシーケンスに従い非同期にて開始する。
【００３１】
これによればプリント命令を受けて、周辺ユニットに電源供給を開始するとき、ユニットが複数であったならば、投入タイミングをユニット毎にずらして実行することにより、各ユニットの突入電流が重なることを防がれるため、制御部の瞬間的な電圧変動を最小にして不具合の発生や対策部品の追加を少なくすることができる。
【００３２】
（１２）上記（１０）又は（１１）の画像形成システムにおいて、画像形成装置の制御部により制御される電源は、周辺ユニットの制御部電源と駆動部電源を各々個別に制御可能である。
【００３３】
状況によって、周辺ユニットへの電源供給を信号系のみとすることにより、パワー系に電源が供給されないため、待機消費電力を削減することができ、エラーチェックのみなどを低消費状態で実行することができる。
【００３４】
（１３）上記（１０），（１１）又は（１２）の画像形成システムにおいて、周辺ユニットの制御部は、該ユニットの駆動部の電源供給制御を行う機能を有し、画像形成装置との通信により、電源制御を行う機能を有する。
【００３５】
パワー系の電源供給の制御回路を周辺ユニット自身が持つことにより、画像形成装置本体の制御の負荷を軽減することができ、画像形成装置本体のコストダウンを図ることができる。
【００３６】
本発明の他の目的および特徴は、図面を参照した以下の実施例の説明より明らかになろう。
【００３７】
【実施例】
−第１実施例−
図１に、本発明の第１実施例の複合機能フルカラーデジタル複写機の外観を示す。このフルカラー複写機は、大略で、自動原稿送り装置（ＡＤＦ）３０と、操作ボード２０と、カラースキャナ１０と、カラープリンタ１００の各ユニットで構成されている。ステープラ及び作像された用紙を積載可能なトレイ付きのフィニッシャ３４と、両面ドライブユニット３３と、増設給紙バンク３５と、大容量給紙トレイ３６は、プリンタ１００に装着されているが、これらはプリンタ１００から分離可能な周辺ユニットであり、各々動力機器ドライバやセンサ入力およびコントローラを有する制御ボードを有して、画像形成装置本体であるプリンタ１００の制御ボード（のプロセスコントローラ１３１：図４）と直接または間接に通信を行いタイミング制御されて用紙の送給，搬送の動作を行う。なお、操作ボード２０と、ＡＤＦ３０付きのカラースキャナ１０もプリンタ１００から分離可能なユニットであり、カラースキャナ１０も動力機器ドライバやセンサ入力およびコントローラを有する制御ボードを有して、プリンタ１００の制御ボードと直接または間接に通信を行いタイミング制御されて原稿画像の読み取りを行う。
【００３８】
機内の画像データ処理装置ＡＣＰ（図４）には、パソコンＰＣが接続したＬＡＮ（Ｌｏｃａｌ　Ａｒｅａ　Ｎｅｔｗｏｒｋ）が接続されており、ファクシミリコントロールユニットＦＣＵ（図４）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００３９】
図２に、カラープリンタ１００の機構を示す。この実施例のカラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向（図中の右下から左上方向ｙ）に沿ってこの順に配置されている。即ち、４連ドラム方式のフルカラー画像形成装置である。
【００４０】
これらマゼンダ（Ｍ），シアン（Ｃ），イエロー（Ｙ）および黒（Ｋ）のトナー像形成ユニットは、それぞれ、感光体ドラム１１１Ｍ，１１１Ｃ，１１１Ｙおよび１１１Ｋを有する感光体ユニット１１０Ｍ，１１０Ｃ，１１０Ｙおよび１１０Ｋと、現像ユニット１２０Ｍ，１２０Ｃ，１２０Ｙおよび１２０Ｋとを備えている。また、各トナー像形成部の配置は、各感光体ユニット内の感光体ドラム１１１Ｍ，１１１Ｃ，１１１Ｙおよび１１１Ｋの回転軸が水平ｘ軸（主走査方向）に平行になるように、且つ、転写紙移動方向ｙ（副走査方向）に所定ピッチの配列となるように、設定されている。
【００４１】
また、レーザプリンタ１００は、上記トナ−像形成ユニットのほか、レーザ走査による光書込ユニット１０２、給紙カセット１０３，１０４、レジストローラ対１０５、転写紙を担持して各トナ−像形成部の転写位置を通過するように搬送する転写搬送ベルト１６０を有する転写ベルトユニット１０６、ベルト定着方式の定着ユニット１０７、排紙トレイ１０８，両面ドライブ（面反転）ユニット３３等を備えている。また、レーザプリンタ１００は、図示していない手差しトレイ、トナ−補給容器、廃トナーボトル、なども備えている。
【００４２】
光書込ユニット１０２は、光源、ポリゴンミラー、ｆ−θレンズ、反射ミラー等を備え、画像データに基づいて各感光体ドラム１１１Ｍ，１１１Ｃ，１１１Ｙおよび１１１Ｋの表面にレーザ光を、ｘ方向に振り走査しながら照射する。また図２上の一点鎖線は、転写紙の搬送経路を示している。給紙カセット１０３，１０４から給送された転写紙は、図示しない搬送ガイドで案内されながら搬送ローラで搬送され、レジストローラ対１０５に送られる。このレジストローラ対１０５により所定のタイミングで転写搬送ベルト１６０に送出された転写紙は転写搬送ベルト１６０で担持され、各トナ−像形成部の転写位置を通過するように搬送される。
【００４３】
各トナー像形成部の感光体ドラム１１１Ｍ，１１１Ｃ，１１１Ｙおよび１１１Ｋに形成されたトナー像が、転写搬送ベルト１６０で担持され搬送される転写紙に転写され、各色トナー像の重ね合わせ即ちカラー画像が形成された転写紙は、定着ユニット１０７に送られる。すなわち転写は、転写紙上にじかにトナー像を転写する直接転写方式である。定着ユニット１０７を通過する時トナー像が転写紙に定着する。トナー像が定着した転写紙は、排紙トレイ１０８，フィニッシャ３６又は両面ドライブユニット３３に排出又は送給される。
【００４４】
イエローＹのトナ−像形成ユニットの概要を次に説明する。他のトナ−像形成ユニットも、イエローＹのものと同様な構成である。イエローＹのトナー像形成ユニットは、前述のように感光体ユニット１１０Ｙ及び現像ユニット１２０Ｙを備えている。感光体ユニット１１０Ｙは、感光体ドラム１１１Ｙのほか、感光体ドラム表面に潤滑剤を塗布するブラシローラ，感光体ドラム表面をクリーニングする揺動可能なブレード，感光体ドラム表面に光を照射する除電ランプ，感光体ドラム表面を一様帯電する非接触型の帯電ローラ、等を備えている。
【００４５】
感光体ユニット１１０Ｙにおいて、交流電圧が印加された帯電ローラにより一様帯電された感光体ドラム１１１Ｙの表面に、光書込ユニット１０２で、プリントデータに基づいて変調されポリゴンミラーで偏向されたレーザ光Ｌが走査されながら照射されると、感光体ドラム１１１Ｙの表面に静電潜像が形成される。感光体ドラム１１ＩＹ上の静電潜像は、現像ユニット２０Ｙで現像されてイエローＹのトナー像となる。転写搬送ベルト１６０上の転写紙が通過する転写位置では、感光体ドラム１１ＩＹ上のトナー像が転写紙に転写される。トナ−像が転写された後の感光体ドラム１１１Ｙの表面は、ブラシローラで所定量の潤滑剤が塗布された後、ブレードでクリーニングされ、除電ランプから照射された光によって除電され、次の静電潜像の形成に備えられる。
【００４６】
現像ユニット１２０Ｙは、磁性キャリア及びマイナス帯電のトナ−を含む二成分現像剤を収納している。そして、現像ケース１２０Ｙの感光体ドラム側の開口から一部露出するように配設された現像ローラや、搬送スクリュウ、ドクタブレード、トナ−濃度センサ，粉体ポンプ等を備えている。現像ケース内に収容された現像剤は、搬送スクリュウで攪拌搬送されることにより摩擦帯電する。そして、現像剤の一部が現像ローラの表面に担持される。ドクタブレードが現像ローラの表面の現像剤の層厚を均一に規制し、現像ローラの表面の現像剤中のトナーが感光体ドラムに移り、これにより静電潜像に対応するトナー像が感光体ドラム１１１Ｙ上に現われる。現像ケース内の現像剤のトナー濃度はトナ−濃度センサで検知される。濃度不足の時には、粉体ポンプが駆動されてトナーが補給される。
【００４７】
転写ベルトユニット１０６の転写搬送ベルト１６０は、各トナ−像形成部の感光体ドラム１１１Ｍ，１１１Ｃ，１１１Ｙおよび１１１Ｋに接触対向する各転写位置を通過するように、４つの接地された張架ローラに掛け回されている。張架ローラの１つが１０９である。これらの張架ローラのうち、２点鎖線矢印で示す転写紙移動方向上流側の入口ローラには、電源から所定電圧が印加された静電吸着ローラが対向するように配置されている。これらの２つのローラの間を通過した転写紙は、転写搬送ベルト１６０上に静電吸着される。また、転写紙移動方向下流側の出口ローラは、転写搬送ベルトを摩擦駆動する駆動ローラであり、図示しない駆動源に接続されている。また、転写搬送ベルト１６０の外周面には、電源から所定のクリーニング用電圧が印加されたバイアスローラが接触するように配置されている。このバイアスローラにより転写搬送ベルト１６０上に付着したトナ−等の異物が除去される。
【００４８】
また、感光体ドラム１１１Ｍ，１１１Ｃ，１１１Ｙおよび１１１Ｋに接触対向する接触対向部を形成している転写搬送ベルト１６０の裏面に接触するように、転写バイアス印加部材を設けている。これらの転写バイアス印加部材は、マイラ製の固定ブラシであり、各転写バイアス電源から転写バイアスが印加される。この転写バイアス印加部材で印加された転写バイアスにより、転写搬送ベルト１６０に転写電荷が付与され、各転写位置において転写搬送ベルト１６０と感光体ドラム表面との間に所定強度の転写電界が形成される。
【００４９】
転写搬送ベルト１６０で搬送され、感光体ドラム１１１Ｍ，１１１Ｃ，１１１Ｙおよび１１１Ｋに形成された各色トナー像が転写された用紙は、定着装置１０７に送り込まれてそこで、トナー像が加熱，加圧によって用紙に熱定着される。熱定着後、用紙は左側板の上部のフィニッシャ３４への排紙口３４ｏｔからフィニッシャ３４に送り込まれる。又は、プリンタ本体の上面の排紙トレイ１０８に排出される。
【００５０】
４個の感光体ドラムの中の、マゼンダ像，シアン像およびイエロー像形成用の感光体ドラム１１１Ｍ，１１１Ｃおよび１１１Ｙは、図示しないカラードラム駆動用の１個の電気モータ（カラードラムモータ；カラードラムＭ：図示略）により、動力伝達系及び減速機（図示略）を介して１段減速にて駆動される。ブラック像形成用の感光体ドラム１１１Ｋはブラックドラム駆動用の１個の電気モータ（Ｋドラムモータ：図示略）により、動力伝達系及び減速機（図示略）を介して１段減速にて駆動される。また、転写搬送ベルト１６０は、上記Ｋドラムモータによる動力伝達系を介した転写駆動ローラの駆動により、回動移動する。従って、上記Ｋドラムモータは、Ｋ感光体ドラム１１Ｋと転写搬送ベルト６０を駆動し、上記カラードラムモータは、Ｍ，Ｃ，Ｙ感光体ドラム１１Ｍ，１１Ｃ，１１Ｙを駆動する。
【００５１】
また、Ｋ現像器１２０Ｋは、定着ユニット１０７を駆動している電気モータ（図示略）で、動力伝達系およびクラッチ（図示略）を介して駆動される。Ｍ，Ｃ，Ｙ現像器１２０Ｍ，１２０Ｃ，１２０Ｙは、レジストローラ１０５を駆動する電気モータ（図示略）で、動力伝達系およびクラッチ（図示略）を介して駆動される。現像器１２０Ｍ，１２０Ｃ，１２０Ｙ，１２０Ｋは絶えず駆動されている訳ではなく、所定タイミングを持って駆動出来る様、上記クラッチにより駆動伝達を受ける。
【００５２】
再度図１を参照する。フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００５３】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００５４】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００５５】
図３に、スキャナ１０およびそれに装着されたＡＤＦ３０の、原稿画像読み取り機構を示す。このスキャナ１０のコンタクトガラス２３１上に置かれた原稿は、照明ランプ２３２により照明され、原稿の反射光（画像光）が第１ミラー２３３で副走査方向ｙと平行に反射される。照明ランプ２３２および第１ミラー２３３は、図示しない、副走査方向ｙに定速駆動される第１キャリッジに搭載されている。第１キャリッジと同方向にその１／２の速度で駆動される、図示しない第２キャリッジには第２および第３ミラー２３４，２３５が搭載されており、第１ミラー２３３が反射した画像光は第２ミラー２３４で下方向（ｚ）に反射され、そして第３ミラー２３５で副走査方向ｙに反射されて、レンズ２３６により集束され、ＣＣＤ２０７に照射され、電気信号に変換される。第１および第２キャリッジは、走行体モーター２３８を駆動源として、ｙ方向に往（原稿走査），復（リタ−ン）駆動される。
【００５６】
スキャナ１０には、自動原稿供給装置ＡＤＦ　３０が装着されている。ＡＤＦ３０の原稿トレイ２４１に積載された原稿は、ピックアップローラ２４２およびレジストローラ対２４３で搬送ドラム２４４と押さえローラ２４５の間に送り込まれて、搬送ドラム２４４に密着して読み取りガラス２４０の上を通過し、そして排紙ローラ２４６，２４７で、原稿トレイ２４１の下方の圧板兼用の排紙トレイ２４８上に排出される。原稿は、読み取りガラス２４０を通過する際に、その直下に移動している照明ランプ２３２により照射され、原稿の反射光は、第１ミラー２３３以下の光学系を介してＣＣＤ２０７に照射され光電変換される。
【００５７】
読み取りガラス２４０と原稿始端の位置決め用のスケール２５１との間には、白基準板２３９、ならびに、第１キャリッジを検出する基点センサ２４９がある。白基準板２３９は、照明ランプ２３２の個々の発光強度のばらつき，また主走査方向のばらつきや、ＣＣＤ２０７の画素毎の感度ムラ等が原因で、一様な濃度の原稿を読み取ったにもかかわらず、読み取りデータがばらつく現象を補正（シェーディング補正）するために用意されている。このシェーディング補正は、まず白基準板２３９を原稿スキャン前に主走査方向１ライン分読み取り、この読み取った白基準データをメモリに記憶し、原稿画像を読み取るときは、原稿をスキャンした画素毎に、画像データを前記メモリ上の対応する白基準データで割り算するものである。
【００５８】
図４に、図１に示す複写機の画像処理系統のシステム構成を示す。このシステムでは、読取ユニット１１と画像データ出力Ｉ／Ｆ（Ｉｎｔｅｒｆａｃｅ：インターフェイス）１２でなるカラー原稿スキャナ１０が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ（Ｉｍａｇｅ　Ｐｒｏｃｅｓｓｉｎｇ　Ｐｒｏｃｅｓｓｏｒ；以下では単にＩＰＰと記述）から、書込みＩ／Ｆ１３４に記録画像データを受けて、作像ユニット１３５でプリントアウトする。作像ユニット１３５は、図２に示すものである。
【００５９】
画像データ処理装置ＡＣＰ（以下では単にＡＣＰと記述）は、パラレルバスＰｂ，画像メモリアクセス制御ＩＭＡＣ（以下では単にＩＭＡＣと記述），画像メモリであるメモリモジュールＭＥＭ（以下では単にＭＥＭと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００６０】
カラー原稿スキャナ１０の、原稿を光学的に読み取る読取ユニット１１は、原稿に対するランプ照射の反射光をセンサボードユニットＳＢＵ上のＣＣＤで光電変換してＲ，Ｇ，Ｂ画像データを生成し、ＲＧＢ画像データに変換しかつシェーディング補正して、出力Ｉ／Ｆ１２を介してＣＤＩＣに送出する。
【００６１】
ＣＤＩＣは、画像データに関し、出力Ｉ／Ｆ１２，パラレルバスＰｂ，ＩＰＰ間のデータ転送，プロセスコントローラ１３１とＡＣＰの全体制御を司るシステムコントローラ１との間の通信をおこなう。また、ＲＡＭ１３２はプロセスコントローラ１３１のワークエリアとして使用され、不揮発メモリ１３３はプロセスコントローラ１３１の動作プログラム等を記憶している。
【００６２】
画像メモリアクセス制御ＩＭＡＣ（以下では単にＩＭＡＣと記述）は、ＭＥＭに対する画像データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム等を記憶している。
【００６３】
操作ボード２０は、ＡＣＰがおこなうべき処理を入力する。たとえば、処理の種類（複写、ファクシミリ送信、画像読込、プリント等）および処理の枚数等を入力する。これにより、画像データ制御情報の入力をおこなうことができる。
【００６４】
スキャナ１０の読取ユニット１１より読み取った画像データは、スキャナ１０のＳＢＵ（センサボードユニット）でシェーディング補正２１０を施してから、ＩＰＰで、スキャナガンマ補正，フィルタ処理などの、読取り歪を補正する画像処理を施してから、ＭＥＭに蓄積する。ＭＥＭの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００６５】
ＩＭＡＣは、システムコントローラ１の制御に基づいて、画像データとＭＥＭのアクセス制御，ＬＡＮ上に接続した図示しないパソコンＰＣ（以下では単にＰＣと表記）のプリント用データの展開，ＭＥＭの有効活用のための画像データの圧縮／伸張をおこなう。
【００６６】
ＩＭＡＣへ送られた画像データは、データ圧縮後、ＭＥＭに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００６７】
画像データの流れにおいて、パラレルバスＰｂおよびＣＤＩＣでのバス制御により、デジタル複合機の機能を実現する。ファクシミリ送信は、スキャナ１０で読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００６８】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００６９】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００７０】
各種バスインターフェース、たとえばパラレルバスＩ／Ｆ　７、シリアルバスＩ／Ｆ　９、ローカルバスＩ／Ｆ　３およびネットワークＩ／Ｆ　８は、ＩＭＡＣに接続されている。コントローラーユニット１は、ＡＣＰ全体の中での独立性を保つために、複数種類のバス経由で関連ユニットと接続する。
【００７１】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭに蓄積させるための動作制御指令を発する。この動作制御指令は、ＩＭＡＣ，パラレルバスＩ／Ｆ
７、パラレルバスＰｂを経由して送られる。
【００７２】
この動作制御指令に応答して、画像データはＣＤＩＣからパラレルバスＰｂおよびパラレルバスＩ／Ｆ　７を介してＩＭＡＣに送られる。そして、画像データはＩＭＡＣの制御によりＭＥＭに格納されることになる。
【００７３】
一方、ＡＣＰのシステムコントローラ１は、ＰＣからのプリンタ機能としての呼び出しの場合、プリンタコントローラとネットワーク制御およびシリアルバス制御として機能する。ネットワーク経由の場合、ＩＭＡＣはネットワークＩ／Ｆ
８を介してプリント出力要求データを受け取る。
【００７４】
汎用的なシリアルバス接続の場合、ＩＭＡＣはシリアルバスＩ／Ｆ　９経由でプリント出力要求データを受け取る。汎用のシリアルバスＩ／Ｆ　９は複数種類の規格に対応しており、たとえばＵＳＢ（Ｕｎｉｖｅｒｓａｌ　Ｓｅｒｉａｌ　Ｂｕｓ）、１２８４または１３９４等の規格のインターフェースに対応する。
【００７５】
ＰＣからのプリント出力要求データはシステムコントローラ１により画像データに展開される。その展開先はＭＥＭ内のエリアである。展開に必要なフォントデータは、ローカルバスＩ／Ｆ　３およびローカルバスＲｂ経由でフォントＲＯＭ６を参照することにより得られる。ローカルバスＲｂは、このコントローラ１を不揮発メモリ５およびＲＡＭ４と接続する。
【００７６】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００７７】
システムコントローラ１とＭＥＭおよび各種バスとのデータ送受信は、ＩＭＡＣを経由しておこなわれる。ＭＥＭを使用するジョブはＡＣＰ全体の中で一元管理される。
【００７８】
図５に、図４に示すプリンタ１００，操作ボード２０，画像データ処理装置ＡＣＰ，ＦＣＵ，スキャナ１０，フィニッシャ３４，大容量給紙トレイ３６および給紙バンク３５の各部に動作電圧を与える給電系統の概要を示す。主電源スイッチである元電源スイッチ７９が閉じられると、商用交流１００Ｖが、ＤＣ電源／ＡＣ制御板８０の整流平滑回路８１およびＡＣ回路８６に加わる。整流平滑回路８１の直流出力がＤＣ／ＤＣコンバータ８２に印加される。この例ではＤＣ／ＤＣコンバータ８２は、安定化した＋２４Ｖおよび＋５Ｖの、２系統の直流電圧＋２４ＶＥ，＋５ＶＥを発生する。本例においては＋５ＶはＣＰＵなどの制御系や信号系に使用され、＋２４Ｖはモータ，ソレノイド，クラッチなどのパワー系に使用されている。
【００７９】
ＤＣ電源／ＡＣ制御板８０では、コンバータ出力の＋２４ＶＥ（＋２４Ｖの電圧）と＋５ＶＥ（＋５Ｖの電圧）にそれぞれスイッチ８４，８５が接続されている。ＡＣＰのシステムコントローラ１には、休止モード時でも通電状態にある＋５ＶＥが供給される。プリンタ１００のプロセスコントローラ１３１には、休止モード時に通電がオフされる＋５Ｖが供給される。
【００８０】
定着装置のヒータ８７に通電するＡＣ回路８６には、スイッチ８３を通してあたえられる＋２４Ｖによって閉じられる電源リレーがあり、この電源リレーが閉じることにより、ＡＣ回路８６の、定着ヒータ８７に通電する交流通電回路に商用交流ＡＣが印加される。この交流通電回路は、トライアック（位相制御スイッチング素子）を用いる位相制御の交流通電回路であり、定着温度センサ８８の温度検出信号を参照して、定着温度が目標温度になるように、トライアックの導通位相を制御する。
【００８１】
上述のスイッチ８３，８４，８５のオン／オフを行うための制御信号がシステムコントローラ１からスイッチ８３，８４，８５に与えられる。定着装置の目標温度を、トナー像を転写した転写紙の定着処理に定められた定着動作温度として定着ローラの温度をそれに維持する、コピースタートあるいはプリントコマンドに応答して実質上遅れ時間無く画像形成を開始することが出来る「スタンバイモード」（作動モード；通常モード）では、システムコントローラ１は上記制御信号でスイッチ８３，８４および８５を共にオンにしている。
【００８２】
「低電力モード」ではシステムコントローラ１は、定着装置のヒータ８７に通電するＡＣ回路８６の電源リレーにオン指示電圧＋２４Ｖを与えるスイッチ８３を、オフに切り替える。すなわち「低電力モード」では、プリント出力を伴なわない、ＭＥＭに蓄積する画像読取，ファクシミリ送信のための画像読取、および、パソコンＰＣに送る原稿の画像読取、のためのスキャナ１０およびＡＤＦ３０の動作は可能にするために、動力系に＋２４Ｖを給電するスイッチ８４および制御系および通信系に＋５Ｖを給電するスイッチ８５はオンを継続し、定着ヒータ８７への通電のみを遮断する。
【００８３】
「休止モード」ではシステムコントローラ１は、＋２４Ｖを給電するスイッチ８４および＋５Ｖを給電するスイッチ８５を、ともにオフにする。すなわちスイッチ８３〜８５のすべてをオフにする。
【００８４】
しかし休止モードでは、スイッチ８３〜８５がオフではあるが、システムコントローラ１および操作ボード２０の、複写機使用の可能性を伺わせるオペータの行為を検知する電気回路，パソコンＰＣのプリントコマンドを検知する電気回路、および、ファクシミリコントロールユニットＦＣＵのファクシミリ受信検知回路に＋５ＶＥが継続して印加される。システムコントローラ１においては、該検知を待ちそれに応答してスイッチ８３，８４，８５をオンにする回路ならびに不揮発保持が必要とされるデータを格納するメモリに＋５ＶＥが継続して印加される。
【００８５】
次の表１に、上述の省エネ切換えの各モードと、給電スイッチ８３〜８５のオン／オフの関係を示し、表２には、上述の各モードで可能な情報処理を要約して示す。
【００８６】
【表１】
2004077623.tif 000003
【００８７】
【表２】
2004077623.tif 000004
【００８８】
表２上の「送，受信」はＦＣＵの、プリントアウトを伴なわないファクシミリ送，受信であり、データ保持は、ＭＥＭの蓄積画像データの保持である。
【００８９】
ＤＣ／ＡＣ制御板８０は、スイッチ８５がオンのときに現れる＋５Ｖを、プロセスコントローラ１３１，操作ボード２０，ＡＣＰおよびＦＣＵに直接に、待機時および動作時の制御電圧として与える。しかし、スキャナ１０，フィニッシャ３４，大容量給紙トレイ３６および給紙バンク３５には、ＦＥＴを主体とするスイッチング回路である制御電圧オン／オフスイッチｓｗａ〜ｓｗｄのそれぞれを介して、プロセスコントローラ１３１が該スイッチを選択的にオン（スイッチ閉）にすることにより、制御電圧として与える。同様に、プリンタ１００内の、動作電圧＋２４Ｖを必要とする電気回路（ドライバ：通電回路）には、スイッチ８４がオンのときに現れる＋２４Ｖを直接に動力電圧として与えるが、スキャナ１０，フィニッシャ３４，大容量給紙トレイ３６および給紙バンク３５の、動作電圧＋２４Ｖを必要とするドライバには、ＦＥＴを主体とするスイッチング回路である動力電圧オン／オフスイッチｓｗＡ〜ｓｗＤのそれぞれを介して、プロセスコントローラ１３１が該スイッチを選択的にオンにすることにより、動力電圧として与える。
【００９０】
すなわち、スキャナ１０，フィニッシャ３４，大容量給紙トレイ３６および給紙バンク３５の各ユニットへの制御電圧＋５Ｖ，動力電圧＋２４Ｖの供給／停止は、プロセスコントローラ１３１が、プリンタ１００にあるスイッチｓｗａ〜ｓｗｄ，ｓｗＡ〜ｓｗＤをオン／オフすることにより行う。
【００９１】
図６に、システムコントローラ１の、操作ボード２０のＣＰＵと共同して実行する、スタンバイモード／低電力モード／休止モード間の切換え制御、および、図４に示す画像処理システムの画像入出力制御、を示す。
【００９２】
図６を参照すると、図５に示すＤＣ電源／ＡＣ制御板８０と商用交流電源（コンセント）との間の元電源スイッチ７９が閉じてＤＣ電源／ＡＣ制御板８０が動作電圧を与えると、システムコントローラ１は、電源オン応答の初期化処理（ステップ１）をして、そこでスタンバイモードを設定する（ステップ２，３）。すなわちスイッチ８３〜８５をオンする。次に、スタンバイモードから低電力モードへの切換え待ち時間Ｔｄ１を時限値とするタイマＴｄ１をスタートし（ステップ４）、入力読み取り（ステップ５）を行う。
【００９３】
なお、以下においては、カッコ内にはステップと言う語を省略してステップ番号数字のみを記す。
【００９４】
初期化処理（１）においては、操作ボード２０のＣＰＵがシステムコントローラ１の指示に応じて、操作ボード２０のＮＶＲＡＭにある標準処理モードのコピー条件を読み出して操作ボード２０の液晶ディスプレイに表示する。
【００９５】
入力読み取り（５）では、操作ボード２０のＣＰＵが操作ボード２０に対するユーザの操作（入力）を読み込んでシステムコントローラ１に報知し、また、システムコントローラ１が、パソコンＰＣおよびＦＣＵからのコマンドを解読する。操作ボード２０のＣＰＵは、操作ボード２０に対するユーザの操作に対応して、置数キーの押下の読込みと入力数字データの生成，スタートキーの押下の読込みと、スタート指示のシステムコントローラ１への転送，用紙サイズの切換え入力の読取りなど、通常の複写機の操作読取りおよび表示出力の制御を行う。
【００９６】
スタンバイモードから低電力モードへの切換えの待ち時間Ｔｄ１および低電力モードから休止モードへの切換えの待ち時間Ｔｄ２は、操作部２０から入力できるものであり、入力値が操作ボード２０のＮＶＲＡＭに格納（登録）されているものである。
【００９７】
「入力読み取り」（５）で、指示入力、例えば、操作ボード２０に対するユーザの操作（置数キーの押下，スタートキーの押下，用紙サイズの切換え，その他），原稿スキャナ１０の原稿押えスイッチの閉（押え位置）から開（開き位置）への変化，ＡＤＦ３０での原稿検知，パソコンＰＣ又はＦＣＵからのプリントコマンド、を受けるとシステムコントローラ１は、指示入力に対応した処理に進む（７−２０）。
【００９８】
しかし指示入力がないと、タイマＴｄ１がタイムオーバしたかをチエックする（２１，２２）。指示入力が無くタイマＴｄ１がタイムオーバすると、システムコントローラ１は、モードレジスタＦＴに低電力モードであることを示す「１」を書き込んで（２３）、Ｔｄ２時限のタイマＴｄ２をスタートして（２４）、低電力モードに移行する（２５）。すなわち、スイッチ８３をオフにする。スイッチ８４，８５はオンを継続する。そしてその後、入力が無くタイマＴｄ２がタイムオーバすると（６，２１，２６，２７）、システムコントローラ１は、操作ボード２０の液晶ディスプレイに表示中の画像処理モードを操作ボード２０のＮＶＲＡＭに前回モードとして書込み、モードレジスタＦＴに休止モードであることを示す「２」を書き込んで（２８）、休止モードに移行する（２９）。すなわち、スイッチ８３，８４および８５をオフにする。
【００９９】
スタンバイモードを設定しているときに操作ボード２０の、省エネ関係のモード切換えを指示するための電源キーがオンすると、システムコントローラ１は、ユーザが休止モードへの切換えを指示したとみなして、操作ボード２０の液晶ディスプレイに表示中の画像処理モードを、操作ボード２０のＮＶＲＡＭに前回モードとして書込み、休止モードに移行する。低電力モード又は休止モードを設定しているときに操作ボード２０の電源キーがオンするとシステムコントローラ１は、ユーザがスタンバイモードへの切換えを指示したとみなして、スタンバイモードを設定し、操作ボード２０のＮＶＲＡＭに書き込んでいる前回画像処理モードを読出して操作ボード２０の液晶ディスプレイに表示する。
【０１００】
「入力読み取り」（５）で指示入力を認知するとシステムコントローラ１は、指示入力が、操作ボード２０に対するユーザの操作，原稿スキャナ１０の原稿押えスイッチの閉から開への変化，ＡＤＦ３０での原稿検知など、複写使用を伺わせるものであると、或いは、パソコンＰＣ又はＦＣＵからのプリントコマンドであったときには、現在がスタンバイモードである場合には、オペレータ或いはＰＣ又はＦＣＵの複写モード設定入力又はプリントモード設定を読込み、プロセスコントローラ１３１を介して、複写又はプリントアウトをする（７，８，９）。そしてタイマＴｄ１をスタートする（１０）。
【０１０１】
現在が低電力モード又は休止モードの場合には、モードレジスタＦＴにスタンバイモードであることを示す「０」を書き込んで（２）、スタンバイモードに移行しタイマＴｄ１をスタートする（３，４）。すなわち、スイッチ８３，８４および８５をオンにする。そしてプロセスコントローラ１３１を介して、複写またはプリントアウトを行う（５〜９）。
【０１０２】
ＰＣによる原稿画像読込又はＦＣＵによるファクシミリ送信のための原稿画像読込のときには、システムコントローラ１は、現在がスタンバイモードである場合には、プロセスコントローラ１３１を介して、原稿スキャナ１０による画像読み取りを行って画像データをＭＥＭに格納し、そしてＰＣ又はＦＣＵへの画像データの転送を行う（１２，１８）。これを終えるとタイマＴｄ１をスタートする（１９）。現在が低電力モードである場合には、同様に画像読み取りと転送を行うが（１３，１６）、それを終えるとタイマＴｄ２をスタートする（１７）。現在が休止モードである場合には、モードレジスタＦＴに低電力モードであることを示す「１」を書き込んで（１４）、低電力モードに移行し（１５）すなわちスイッチ８４，８５をオンにして、同様に画像読み取りと転送を行い（１６）、それを終えるとタイマＴｄ２をスタートする（１７）。
【０１０３】
上述の複写，プリントアウト又は画像読み取りを直接に指示しない入力、例えば、操作ボード２０の電源キーのオン，ドア開閉，初期設定キー入力，管理用キー入力、があると、それを読み込んで入力対応の処理を行う（２０）。
【０１０４】
上述の「スタンバイモード」が設定されるときにはスイッチ８３，８４および８５がオンになるので、ＡＣ回路８６内の、交流電源スイッチである図示しない電源リレーにスイッチ８４の出力＋２４Ｖが加わり、ＡＣ回路８６内の、定着ヒータ（本実施例ではハロゲンヒータ）８７に通電するトライアック回路（位相制御による交流通電回路）および８６内直流電源回路に商用交流電圧が加わり、該直流電源回路が、ＡＣ回路８６内の、ＡＳＩＣ（Ａｐｐｌｉｃａｔｉｏｎ　Ｓｐｅｃｉｆｉｃ　ＩＣ）である通電コントローラに動作電圧を与える。
【０１０５】
プロセスコントローラ１３１は、システムコントローラ１が与えるコマンドに従って、その内容（処理モード）の複写，プリント，画像読取、のプロセス制御を行うが、その実行のために、スキャナ１０および周辺ユニット３４〜３６への電源投入およびそれらの状態の読み取りを行う。その内容を図７〜図９に示す。
【０１０６】
まず図７を参照する。システムコントローラ１が、スタンバイモードを設定するためにスイッチ８５をオンにすると、スイッチ８５を通して、ＤＣ／ＤＣコンバータ８２が出力する＋５Ｖがプロセスコントローラ１３１に加わり、プロセスコントローラ１３１は、電源オン応答の初期化処理（３１）を行う。そして、プリンタ１００内各部の状態信号（用紙搬送路の残紙有無，給紙カセットの有無，カセット内用紙有無（サイズ検知兼用），ヒータ温度，トナー有無（不足）等々）を取得する（３２）。なお、スタンバイモードおよび低電力モードでは、スイッチ８５がオンであるので、スイッチ８５を通して、ＤＣ／ＤＣコンバータ８２が出力する＋５Ｖがプリンタ１００内の全ての制御電圧ラインに加わっているので、プロセスコントローラ１３１はプリンタ１００内の全箇所の状態信号を収集し、状態レジスタ（プロセッサコントローラ１３１の内部メモリの１領域：状態メモリ）に書込む。
【０１０７】
次にプロセスコントローラ１３１は、スイッチｓｗａをオンにして（３３）、シリアルバスＳｂを介してスキャナ１０がレディ信号を送ってくるのを待ち、レディ信号を送ってくると、シリアルバスＳｂを介してスキャナ１０にその内部の状態を表す状態情報を要求して（転送を指示して）収集し状態レジスタに書込む（３４）。スイッチｓｗａをオンにしてから所定時間内にレディ信号が到来しないと、プロセスコントローラ１３１は、スキャナ１０が接続されていないこと（スキャナなし）を表わす状態情報を状態レジスタに書込み、スイッチｓｗａをオフに戻す（３４）。
【０１０８】
次にプロセスコントローラ１３１は、スイッチｓｗｂをオンにして（３５）、シリアルバスＳｂを介してフィニッシャ３４がレディ信号を送ってくるのを待ち、レディ信号を送ってくると、シリアルバスＳｂを介してフィニッシャ３４にその内部の状態（ケースドアの開，閉、残紙の有無，機構の状態等々）を表す状態情報を要求して収集し状態レジスタに書込む（３６）。スイッチｓｗｂをオンにしてから所定時間内にレディ信号が到来しないと、プロセスコントローラ１３１は、フィニッシャ３４が接続されていないこと（フィニッシャなし）を表わす状態情報を状態レジスタに書込み、スイッチｓｗｂをオフに戻す（３６）。
【０１０９】
次にプロセスコントローラ１３１は、スイッチｓｗｃをオンにして（３７）、シリアルバスＳｂを介して大容量給紙トレイ３６がレディ信号を送ってくるのを待ち、レディ信号を送ってくると、シリアルバスＳｂを介して大容量給紙トレイ３６にその内部の状態（ケースドアの開，閉、用紙の有無およびサイズ，用紙昇降台の位置，機構状態等々）を表す状態情報を要求して収集し、状態レジスタに書込む（３８）。スイッチｓｗｃをオンにしてから所定時間内にレディ信号が到来しないと、プロセスコントローラ１３１は、大容量給紙トレイ３６が接続されていないこと（大容量給紙トレイなし）を表わす状態情報を状態レジスタに書込み、スイッチｓｗｃをオフに戻す（３８）。
【０１１０】
次にプロセスコントローラ１３１は、スイッチｓｗｄをオンにして（３９）、シリアルバスＳｂを介して給紙バンク３５がレディ信号を送ってくるのを待ち、レディ信号を送ってくると、シリアルバスＳｂを介して給紙バンク３５にその内部の状態（ケースドアの開，閉、カセットの有無，用紙の有無およびサイズ，用紙ジャム，機構状態等々）を表す状態情報を要求して収集し、状態レジスタに書込む（４０）。スイッチｓｗｂをオンにしてから所定時間内にレディ信号が到来しないと、プロセスコントローラ１３１は、給紙バンク３５が接続されていないこと（給紙バンクなし）を表わす状態情報を状態レジスタに書込み、スイッチｓｗｄをオフに戻す（４０）。
【０１１１】
次にプロセスコントローラ１３１は、収集した状態情報をシステムコントローラ１に転送する。システムコントローラ１は状態情報を自己の状態レジスタに保存すると共に、状態情報に対応して、装備しているユニットの組み合せ（システム構成）に対応する、オペレータ入力画面を操作ボード２０の液晶ディスプレイに表示する。異常があればそれも表示する（４１ａ）。
【０１１２】
プロセスコントローラ１３１は、自己の状態レジスタに保持する状態情報に、プリント（画像形成）が不可になるプリンタ異常情報があると、ステップ３２に戻る。すなわち、正常に修復されるのを待つ（４１ｂ−３２）。プリンタ１００が正常であると、ステップ４２に進む（４１ｂ−４２）。
【０１１３】
次に、図８および図９も参照する。ステップ４２に進むと、プロセスコントローラ１３１は、システムコントローラ１から、「複写」，「プリント」あるいは「画像読取」のコマンドがあるのを待ち（４２〜４４−４９，５０−４２）、待っている間に、スタンバイモードから低電力モードに切換わると、低電力モードではプリンタ１００のみならず周辺ユニット３４，３５，３６は使用しないので、スイッチｓｗｂ〜ｓｗｄをオフにして（５３）、「画像読取」のコマンドがあるのを待つ（５３−８０−４２−５２−８０）。
【０１１４】
低電力モードからスタンバイモードに変わると、「画像読取」のみならず「複写」又は「プリント」のコマンドを受ける可能性があるので、プロセスコントローラ１３１は、ステップ４２−４３−３５の経路でステップ３５以下に進んで、ｓｗｂ〜ｓｗｄを順次にオンにして、各周辺ユニット３４，３６，３５の状態情報を収集する（３５〜４１ｂ）。
【０１１５】
スタンバイモードであるときに、「複写」のコマンドを受けるとプロセスコントローラ１３１は、動力電圧オン／オフスイッチｓｗＡをオンにし（４５）、そしてシリアルバスＳｂを介してスキャナ１０にその内部の状態を表す状態情報を要求して（転送を指示して）収集する（４６）。このときにはスキャナ１０は、プロセスコントローラ１３１の要求に応答して、照明灯を点灯し、走査機構をホームポジションに位置決めし、各部の状態信号（ＡＤＦの情報例えばＡＤＦ有無，原稿有無を含む）を取得して、正常であると、状態情報とスタートレディをプロセスコントローラ１３１に報知する。異常であるとそれを表す情報を含む状態情報を報知する。プロセスコントローラ１３１は、その内部の状態レジスタのデータを、今回受信した状態情報に更新する（４７）。異常情報があると、スイッチｓｗＡをオフに戻し、システムコントローラ１にスキャナ異常を報知し（４８）、システムコントローラ１から新たにコマンドが到来するのを待つ。システムコントローラ１はスキャナ異常を、操作ボード２０の液晶ディスプレイに表示する。
【０１１６】
スキャナ１０が正常であるとプロセスコントローラ１３１は、プリンタ１００内各部の状態信号（用紙搬送路の残紙有無，給紙カセットの有無，カセット内用紙有無（サイズ検知兼用），ヒータ温度，トナー有無（不足）等々）を取得する（３２）。なお、「複写」および「プリント」を開始可能なスタンバイモードでは、スイッチ８３〜８５の全てがオンであるので、定着ヒータ８７が通電されている。
【０１１７】
プリンタ１００に、プリント（画像形成）が不可になる異常情報があると、それをシステムコントローラ１に報知して、ステップ４４に戻って、正常に修復されてシステムコントローラ１が新たにコマンドを与えるのを待つ。システムコントローラ１はプリンタ異常を、操作ボード２０の液晶ディスプレイに表示する。
【０１１８】
プリンタ１００が正常であるとプロセスコントローラ１３１は、インターバルタイマをスタートして（５７）、それがタイムオーバするのを待つ（５８）。すなわち、先にスイッチｓｗＡをオンにしてスキャナ１０に動力電圧＋２４Ｖを印加してから、所定時間が経過するのを待つ。
【０１１９】
低電力モードからスタンバイモードに切換わった直後は、定着ヒータ８７への通電が始まってＤＣ／ＡＣ制御板８０の電力消費が大きい可能性があり、全ユニット１０，３４〜３６に同時に動力電圧を印加すると、各ユニットの突入電流により一時的に電力消費が増大して、交流電源に電圧変動をもたらす可能性がある。また、スタンバイモードに切り換わってからの経過時間が比較的に長く定着ヒータ８７の温度が高く、その消費電力が小さい場合でも、全ユニット１０，３４〜３６に同時に動力電圧を印加すると、各ユニットの突入電流が重なって、ＤＣ／ＤＣコンバータ８２の負荷が１時的に過大になって、ＤＣ／ＤＣコンバータ８２に不具合が発生するとか、ＤＣ／ＤＣコンバータ８２が出力する＋５ＶＥが一時的に低下して、制御電圧＋５ＶＥ，＋５Ｖを受けて動作する各箇所のコントローラ（制御装置）が誤ったリセット動作（電源オンリセット）をしてしまうなどの不具合が発生する場合もあるため、＋５ＶＥ系の電圧安定化のためのコンデンサの容量を大きくするなどの対策を必要とすることがある。そこで本実施例では、スイッチｓｗＡ〜ｓｗＤの同時のオン切換えを避け、１つづつ所定の時間間隔で順次にオンにして行くようにしている。この時間間隔を、前記インターバルタイマで定める。
【０１２０】
インターバルタイマがタイムオーバ（タイムアップ）すると、プロセスコントローラ１３１は、システムコントローラ１が与えた「複写」又は「プリント」のコマンドの内容（複写モード又はプリントモード）に対応して、それがフィニッシャ３４を使用するものであると、動力電圧オン／オフスイッチｓｗＢをオンにし（５９−６０）、そしてシリアルバスＳｂを介してフィニッシャ３４にその内部の状態を表す状態情報を要求して収集する（６１）。このときにはフィニッシャ３４は、プロセスコントローラ１３１の要求に応答して、内部機構の位置を初期化し、すなわちホームポジションに位置決めし、各部の状態信号を取得して、正常であると、状態情報とスタートレディをプロセスコントローラ１３１に報知する。異常であるとそれを表す情報を含む状態情報を報知する。プロセスコントローラ１３１は、その内部の状態レジスタのデータを、今回受信した状態情報に更新する（６１）。異常情報があると、スイッチｓｗＢをオフに戻し、システムコントローラ１にフィニッシャ異常を報知し（６３）、システムコントローラ１から新たにコマンドが到来するのを待つ。システムコントローラ１はフィニッシャ異常を、操作ボード２０の液晶ディスプレイに表示する。
【０１２１】
フィニッシャ３４が正常であるとプロセスコントローラ１３１は、インターバルタイマをスタートして（６４）、それがタイムオーバするのを待ち（６５）、タイムオーバすると、システムコントローラ１が指示した複写モード又はプリントモードに対応して、それが大容量給紙トレイ３６を使用するものであると、動力電圧オン／オフスイッチｓｗＣをオンにし（６６−６７）、そしてシリアルバスＳｂを介して大容量給紙トレイ３６にその内部の状態を表す状態情報を要求して収集する（６８）。このときには大容量給紙トレイ３６は、プロセスコントローラ１３１の要求に応答して、各部の状態信号を取得して、正常であると、状態情報とスタートレディをプロセスコントローラ１３１に報知する。異常であるとそれを表す情報を含む状態情報を報知する。プロセスコントローラ１３１は、その内部の状態レジスタのデータを、今回受信した状態情報に更新する（６８）。異常情報があると、スイッチｓｗＣをオフに戻し、システムコントローラ１に大容量給紙トレイ異常を報知し（６９−７０）、システムコントローラ１から新たにコマンドが到来するのを待つ。システムコントローラ１は大容量給紙トレイ異常を、操作ボード２０の液晶ディスプレイに表示する。
【０１２２】
大容量給紙トレイ３６が正常であるとプロセスコントローラ１３１は、インターバルタイマをスタートして（７１）、それがタイムオーバするのを待ち（７２）、タイムオーバすると、システムコントローラ１が指示した複写モード又はプリントモードに対応して、それが給紙バンク３５を使用するものであると、動力電圧オン／オフスイッチｓｗＤをオンにし（７３−７４）、そしてシリアルバスＳｂを介して給紙バンク３５にその内部の状態を表す状態情報を要求して収集する（７５）。このときには給紙バンク３５は、プロセスコントローラ１３１の要求に応答して、各部の状態信号を取得して、正常であると、状態情報とスタートレディをプロセスコントローラ１３１に報知する。異常であるとそれを表す情報を含む状態情報を報知する。プロセスコントローラ１３１は、その内部の状態レジスタのデータを、今回受信した状態情報に更新する（７５）。異常情報があると、スイッチｓｗＤをオフに戻し、システムコントローラ１に給紙バンク異常を報知し（７６−７７）、システムコントローラ１から新たにコマンドが到来するのを待つ。システムコントローラ１は給紙バンク異常を、操作ボード２０の液晶ディスプレイに表示する。
【０１２３】
給紙バンク３５が正常であるとプロセスコントローラ１３１は、システムコントローラ１が指示した複写モード又はプリントモードの画像形成を行う（７７）。これを完了するとプロセスコントローラ１３１は、駆動電圧オン／オフスイッチｓｗＡ〜ｓｗＤをオフにして（７９）、新たにシステムコントローラ１がコマンドを与えるのを待つ（７９−４４−４９−５０）。
【０１２４】
「プリント」のコマンドが与えられたときには、プロセスコントローラ１３１は、「プリンタ１００の状態チェック」（５４）に進んで、それ以降の処理を前述の「複写」の場合と同様に行う（４９−５４〜７９）。スキャナ１０には駆動電圧＋２４Ｖは印加しない。
【０１２５】
「画像読取」のコマンドが与えられたときには、図９のステップ８１に進んでスイッチｓｗＡをオンにして、そしてシリアルバスＳｂを介してスキャナ１０にその内部の状態を表す状態情報を要求して収集する（８２）。このときにはスキャナ１０は、プロセスコントローラ１３１の要求に応答して、照明灯を点灯し、走査機構をホームポジションに位置決めし、各部の状態信号を取得して、正常であると、状態情報とスタートレディをプロセスコントローラ１３１に報知する。異常であるとそれを表す情報を含む状態情報を報知する。プロセスコントローラ１３１は、その内部の状態レジスタのデータを、今回受信した状態情報に更新する（８２）。異常情報があると、スイッチｓｗＡをオフに戻し、システムコントローラ１にスキャナ異常を報知し（８４）、システムコントローラ１から新たにコマンドが到来するのを待つ（８４−４４）。システムコントローラ１はスキャナ異常を、操作ボード２０の液晶ディスプレイに表示する。
【０１２６】
スキャナ１０が正常であるとプロセスコントローラ１３１は、画像読取スタートをスキャナ１０に与えて、スキャナ１０がこれに応答してビジィを報知し、そして画像読取（ＡＤＦに原稿があったときには、全原稿の画像読み取り。ＡＤＦに原稿が無かったときには、コンタクトガラス板上の原稿の読み取り）を終了してレディを報知してくるのを待つ（８５）。このレディの報知があると、プロセスコントローラ１３１は、スイッチｓｗＡをオフにして（８６）、新たにシステムコントローラ１がコマンドを与えるのを待つ（８６−８０−４２−４３−４４：スタンバイモードの場合。８６−８０−４２−５２−８０：低電力モードの場合）。
【０１２７】
なお、休止モード（スイッチ８４オフ）からスタンバイモード又は低電力モード（スイッチ８４オン）に切換わったときに、制御電圧＋５Ｖを各ユニット１０，３４〜３６に印加してそれら並びにプリンタ１００の状態情報をプロセスコントローラ１３１で収集してシステムコントローラ１に転送して（３２〜４１ｂ）、システムコントローラ１がシステム構成と各部異常（あれば）を操作ボード２０の液晶ディスプレイに表示するので、ユーザおよびシステムコントローラ１は、実行可能な複写モード，プリントモード或いは画像読取を設定できる。この場合、各ユニット１０，３４〜３６には動力電圧＋２４Ｖは印加しないので、各ユニットにおいて電力消費は少ない。周辺ユニット１０，３４〜３６を使用する可能性が無い低電力モードでは、それらへの制御電圧＋５Ｖも遮断するので（５３）、電力消費が更に少ない。
【０１２８】
フローチャートには示していないが、制御電圧＋５Ｖが印加されているユニットは、その状態の変化を定常的に監視しており、例えばユーザが用紙の補充，取換え，原稿の装填などを行っ場合には、変化した状態情報をプロセスコントローラ１３１に報知する。これに応じてプロセスコントローラ１３１は状態レジスタのデータを更新し、また、システムコントローラ１に報知する。プロセスコントローラ１３１はプリンタ１００内の状態を監視しており、状態変化があると状態レジスタの情報を更新し、システムコントローラ１に報知する。したがってユーザおよびシステムコントローラ１は、プリンタ１００および各ユニットの現状状態に対応した処理モード（複写モード，プリントモード，画像読取）を選択し設定できる。
【０１２９】
コマンド（処理モード）が与えられるとプロセスコントローラ１３１が、その実施に必要なユニットに選択的に動力電圧＋２４Ｖを印加して更に状態情報の取得をするので、動力機構，電気系統の異常の有無も認識することができ、ユーザおよびシステムコントローラ１はこの段階で、あるユニットに異常が見つかれば、それを使用しない処理モードを更新設定できる。
【０１３０】
−第２実施例−
図１０に、本発明の第２実施例の複合機能がある複写機の、プリンタ１００にある、ＤＣ／ＡＣ制御板８０に装備した電源回路の概要と、該電源回路から周辺ユニットに給電する電源ラインを示す。この第２実施例では、動力電圧＋２４Ｖのスイッチングを行うスイッチｓｗＡ〜ｓｗＤを、スキャナ１０および周辺ユニット３４〜３６の制御ボードに配置して、スキャナ１０および周辺ユニット３４〜３６側で動力電圧＋２４Ｖの供給／遮断を制御する。プリンタ１００のプロセスコントローラ１３１が、スキャナ１０および周辺ユニット３４〜３６の制御ボード上の制御回路のＣＰＵと、シリアルバスＳｂを介するシリアル通信をして、スキャナおよび周辺ユニットから状態情報を取得し、また、スイッチｓｗＡ〜ｓｗＤのオン，オフを指示する。第２実施例のその他のハードウエアおよび電源投入制御は、前述の、第１実施例のものと同様である。
【０１３１】
この第２実施例では、プリンタ１００には動力電圧オン／オフスイッチｓｗＡ〜ｓｗＤがなく、プロセスコントローラ１３１はシリアル通信によってコマンドを与えてそれらのスイッチのオン，オフを制御するので、プロセスコントローラ１３１の制御出力線が少なく、プロセスコントローラ１３１周りのハードウエアが簡素になる。
【０１３２】
【発明の効果】
待機モード（スタンバイモード）のとき制御電圧オン／オフスイッチ（ｓｗｂ〜ｓｗｄ）をオンにして、周辺ユニット（３４〜３６）の状態情報を取得し、状態に対応した画像処理モードを設定できる。このときは動力電圧オン／オフスイッチ（ｓｗＢ〜ｓｗＤ）はオフに留めて、周辺ユニットの電力消費を少なく維持できる。指示された画像形成モードによる周辺ユニットの使用／不使用に対応して、使用のときに動力電圧オン／オフスイッチ（ｓｗＢ〜ｓｗＤ）をオンにするので、周辺ユニットの使用は妨げられない。画像形成を速やかに進めることができる。
【図面の簡単な説明】
【図１】本発明の第１実施例の複合機能がある複写機の外観を示す正面図である。
【図２】図１に示すプリンタ１００の作像機構の概要を示す拡大縦断面図である。
【図３】図１に示す原稿スキャナ１０の読取り機構の概要を示す拡大縦断面図である。
【図４】図１に示す複写機の画像処理システムの概要を示すブロック図である。
【図５】図１および図４に示すプリンタ１００にある、ＤＣ／ＡＣ制御板８０に装備した電源回路の概要と、該電源回路から周辺ユニットに給電する電源ラインを示すブロック図である。
【図６】図４に示すシステムコントローラ１の、スタンバイモード／低電力モード／休止モード間の切換え処理の概要を示すフローチャートである。
【図７】図４に示すプロセスコントローラ１３１の、周辺ユニットの状態読み取りおよび周辺ユニットの電源投入制御の概要を示すフローチャート、の一部である。
【図８】図４に示すプロセスコントローラ１３１の、周辺ユニットの状態読み取りおよび周辺ユニットの電源投入制御の概要を示すフローチャート、の他の一部である。
【図９】図４に示すプロセスコントローラ１３１の、周辺ユニットの状態読み取りおよび周辺ユニットの電源投入制御の概要を示すフローチャート、の更に他の一部である。
【図１０】本発明の第２実施例の複合機能がある複写機のプリンタ１００にある、ＤＣ／ＡＣ制御板８０に装備した電源回路の概要と、該電源回路から周辺ユニットに給電する電源ラインを示すブロック図である。
【符号の説明】
１０：カラー原稿スキャナ　２０：操作ボード
３０：自動原稿供給装置　　３４：フィニッシャ
３４ｈｓ：積載降下トレイ　３４ｕｄ：昇降台
３４ｓｔ：ソートトレイ群
１００：カラープリンタ　　ＰＣ：パソコン
ＰＢＸ：交換器　　　　　　ＰＮ：通信回線
１０２：光書込みユニット　１０３，１０４：給紙カセット
１０５：レジストローラ対　１０６：転写ベルトユニット
１０７：定着ユニット　　　１０８：排紙トレイ
１１０Ｍ，１１０Ｃ，１１０Ｙ，１１０Ｋ：感光体ユニット
１１１Ｍ，１１１Ｃ，１１１Ｙ，１１１Ｋ：感光体ドラム
１２０Ｍ，１２０Ｃ，１２０Ｙ，１２０Ｋ：現像器
１６０：転写搬送ベルト　　ＡＣＰ：画像データ処理装置
ＣＤＩＣ：画像データインターフェース制御
ＩＭＡＣ：画像メモリアクセス制御
ＩＰＰ：画像データ処理器
２３１：原稿台ガラス　　２３２：照明ランプ
２３３：第１ミラー　　　２３４：第２ミラー
２３５：第３ミラー　　　２３６：レンズ
２０７：ＣＣＤ　　　　　２３８：走行体モータ
２３９：基準白板　　　　２４０：ガラス
２４１：原稿トレイ　　２４２：ピックアップローラ
２４３：レジストローラ対　２４４：搬送ドラム
２４５：押さえローラ　２４６，２４７：排紙ローラ
２４８：排紙トレイ兼用の圧板
２４９：基点センサ　　　２５０：軸
２５１：スケール　　　　２６０：モータ制御ユニット
【図１】
2004077623.tif 000005
【図２】
2004077623.tif 000006
【図３】
2004077623.tif 000007
【図４】
2004077623.tif 000008
【図５】
2004077623.tif 000009
【図６】
2004077623.tif 000010
【図７】
2004077623.tif 000011
【図８】
2004077623.tif 000012
【図９】
2004077623.tif 000013
【図１０】
2004077623.tif 000014